(57)【要約】      （修正有）【課題】一体のタブを有するネイル・プロング・プレート・コネクタから作製された、第１の構造部材と第２の構造部材との間の建築用接続部品を提供する。【解決手段】建築用接続部品１は、第１の構造部材２と第２の構造部材１８との間にあり、第１の構造部材２は、第１の取り付け表面３を有し、第２の構造部材１８は、第２の取り付け表面１９を有し、その取り付け表面１９は、第１の構造部材２の第１の取り付け表面３に関して角度を成し、第２の構造部材１８は、第１の構造部材２を支持し、第１の構造部材２及び第２の構造部材１８は、両方ともメッキされた屋根トラスであり、他の構造部材を互いに接続することもでき、第１の取り付け表面３及び第２の取り付け表面１９は、互いに９０度を成している。【選択図】図１
2015183515.tif 000002
【特許請求の範囲】
【請求項１】
ａ．第１の取り付け表面（３）を有する第１の構造部材（２）と、
ｂ．前記第１の構造部材（２）の前記第１の取り付け表面（３）に関して角度を成す第２の取り付け表面（１９）を有する第２の構造部材（１８）であって、前記第２の構造部材（１８）は、前記第１の構造部材（２）を支持する、第２の構造部材（１８）と、
ｃ．コネクタ（４）と
を備える建築用接続部品（１）であって、
前記コネクタ（４）は、
ｉ．第１の外周縁部（６）、取り付け面（２１）、及び前記取り付け面（２１）の反対側の開放面（２２）を有する本体（５）であって、前記取り付け面（２１）が前記第１の構造部材（２）の前記第１の取り付け表面（３）と境界を接する状態で、前記第１の構造部材（２）に固定される、本体（５）と、
ｉｉ．前記第１の外周縁部（６）から離間した第１のベンド部（８）において前記本体（５）に接合された第１のタブ（７）と
を有し、
前記第１のタブ（７）は、
（ａ）第１のタブ取り付け面（２３）及び前記第１のタブ取り付け面（２３）の反対側の第１の開放面（２４）と、
（ｂ）前記第１のベンド部（８）に接合された第１のタブ延長部分（９）と、
（ｃ）前記第１のタブ延長部分（９）に接合され前記第１のタブ延長部分（９）によって前記第１のベンド部（８）から離間した、第１のタブ取り付け部分（１０）であって、前記第１のタブ取り付け部分（１０）は、前記第１のタブ延長部分（９）から離れる方を向く第１の自由端（１１）を有し、前記第１のタブ取り付け部分（１０）は、前記取り付け面（２３）が前記第２の構造部材（１８）の前記第２の取り付け表面（１９）と境界を接する状態で、前記第２の構造部材（１８）に固定される、第１のタブ取り付け部分（１０）と、
を有し、
ｉ．前記第１のベンド部（８）は、第１の端部（１２）を有し、前記本体（５）は、前記第１のベンド部（８）の前記第１の端部（１２）を越えて延在する第１の側方部分（１３）を有し、
ｉｉ．前記本体（５）の前記第１の側方部分（１３）は、前記第１のベンド部（８）のそれぞれの側に延在し、
ｉｉｉ．前記第１のタブ（７）の前記第１のタブ延長部分（９）及び前記第１の取り付け部分（１０）は、単一の平面を占有することはなく、
ｉｖ．前記第１のタブ延長部分（９）の前記取り付け面（２３）と、前記第１のベンド部（８）と前記第１の外周縁部（６）との間の前記本体（５）の前記開放面（２２）とは、第１の鋭角（２５）を画定する、
建築用接続部品（１）。
【請求項２】
ａ．前記コネクタ（４）の前記本体（５）の一部分が、前記第１のベンド部（８）と前記第１のタブ取り付け部分（１０）の前記自由端（１１）との間の距離よりも遠くに前記第１の外周縁部（６）から離れて延在する、請求項１に記載の建築用接続部品（１）。
【請求項３】
ａ．前記第１のタブ延長部分（９）が、前記第１のベンド部（８）を介さずに前記コネクタ（４）の前記本体（５）と接触することはない、請求項２に記載の建築用接続部品（１）。
【請求項４】
ａ．前記第１の外周縁部（６）が、前記コネクタ（４）の前記本体（５）の前記第１の側方部分（１３）まで延在する、請求項３に記載の建築用接続部品（１）。
【請求項５】
ａ．前記コネクタ（４）の前記本体（５）が、外側の境界線（２６）を有し、
ｂ．前記第１の外周縁部（６）が、前記コネクタ（４）の前記本体（５）の前記外側の境界線（２６）を構成する複数の外周縁部（６）のうちの１つであり、
ｃ．前記第１のベンド部（８）が、全体的に前記外側の境界線（２６）内にあり、前記第１のタブ（７）が、前記外側の境界線（２６）に交わらない、
請求項４に記載の建築用接続部品（１）。
【請求項６】
ａ．前記第１のタブ（７）が、別々の２つのベンド部（８）においてそれぞれ前記コネクタ（４）の前記本体（５）に接合された第１及び第２の延長部分（９）を有し、
ｂ．各タブ（７）の前記取り付け部分（１０）が、各タブの前記第１の延長部分（９）及び前記第２の延長部分（９）に接続する、
請求項５に記載の建築用接続部品（１）。
【請求項７】
ａ．前記第１のタブ（７）を前記コネクタ（４）の前記本体（５）に接合する前記ベンド部（８）が、それぞれ直線的であり、一直線上に位置合わせされている、
請求項６に記載の建築用接続部品（１）。
【請求項８】
ａ．前記第１のタブ（７）が、概して弓形であり、弧のそれぞれの端部に前記第１及び第２のベンド部（８）を有する、請求項７に記載の建築用接続部品（１）。
【請求項９】
ａ．前記第１のタブ（７）が、各タブ延長部分（９）の前記開放面（２４）と各タブ取り付け部分（１０）の前記開放面（２４）との間に鈍角の折れ目（１６）を有する、請求項８に記載の建築用接続部品（１）。
【請求項１０】
ａ．前記コネクタ（４）が第２のタブ（７）を有し、
前記第２のタブ（７）は、
ｉ．第２のタブ取り付け面（２３）及び前記第２のタブ取り付け面（２３）の反対側の第２の開放面（２４）と、
ｉｉ．第２のベンド部（８）に接合された第２のタブ延長部分（９）と、
ｉｉｉ．前記第２のタブ延長部分（９）に接合され前記第２のタブ延長部分（９）によって前記第２のベンド部（８）から離間した、第２のタブ取り付け部分（１０）であって、前記第２のタブ取り付け部分（１０）は、前記第２のタブ延長部分（９）から離れる方を向く第２の自由端（１１）を有し、前記第２のタブ取り付け部分（１０）は、前記第２のタブ取り付け面（２３）が前記第２の構造部材（１８）の前記第２の取り付け表面（１９）と境界を接する状態で、前記第２の構造部材（１８）に固定されている、第２のタブ取り付け部分（１０）と
を有し、
ａ．前記第２のベンド部（８）は、第２の端部（１２）を有し、前記本体（５）は、前記第２のベンド部（８）の前記第２の端部（１２）を越えて延在する第２の側方部分（１３）を有し、
ｂ．前記本体（５）の前記第２の側方部分（１３）は、前記第２のベンド部（８）のそれぞれの側に延在し、
ｃ．前記第１のタブ（７）の前記第２のタブ延長部分（９）及び前記第２の取り付け部分（１０）は、単一の平面を占有することはなく、
ｄ．前記第２のタブ延長部分（９）の前記第２の取り付け面（２３）と、前記第２のベンド部（８）と前記第１の外周縁部（６）との間の前記本体（５）の前記開放面（２２）とは、第２の鋭角（２５）を画定する、
請求項９に記載の建築用接続部品（１）。
【請求項１１】
ａ．前記コネクタ（４）の前記本体（５）が、前記第１の構造部材（２）の前記第１の取り付け表面（３）に埋め込まれる突出したネイル・プロング（１４）を複数有する、請求項１０に記載の建築用接続部品（１）。
【請求項１２】
ａ．前記コネクタ（４）の前記本体（５）が、前記本体（５）の前記取り付け面（２１）から突出する一体のネイル・プロング（１４）を用いて前記第１の構造部材（２）に固定されており、
ｂ．各タブ（７）が、別個の固定具（１７）を用いて前記第２の構造部材（１８）に固定されている、
請求項１１に記載の建築用接続部品（１）。
【請求項１３】
ａ．前記第１の構造部材（２）が、複数の弦材（１５）を有し、
ａ．前記コネクタ（４）の前記本体（５）が、前記第１の構造部材（２）の垂直弦材（１５）及び水平弦材（１５）に取り付けられている、
請求項１２に記載の建築用接続部品（１）。
【請求項１４】
ａ．前記第２の構造部材（１８）が、複数の弦材（２０）を有し、
ａ．各タブ（７）が、前記第２の構造部材（１８）の異なる弦材（２０）に固定される、
請求項１３に記載の建築用接続部品（１）。
【請求項１５】
ａ．前記第１の構造部材（２）が、前記ネイル・プロング・コネクタ（４）を介して前記第２の構造部材（１８）によって支持される、
請求項１４に記載の建築用接続部品（１）。
【請求項１６】
ａ．前記第１及び第２の構造部材（２）はトラス（２）である、請求項１５に記載の建築用接続部品（１）。
【請求項１７】
ａ．前記第１の構造部材（２）は、ジャック・トラス（２）であり、前記第２の構造部材（１８）は、ガーダー・トラス（２）である、請求項１６に記載の建築用接続部品（１）。
【請求項１８】
ａ．前記コネクタ（４）の前記本体（５）の前記第１の外周縁部（６）が、前記第２の構造部材（１８）の前記第２の取り付け表面（１９）に当接する、請求項１７に記載の建築用接続部品（１）。
【請求項１９】
ａ．前記コネクタ（４）の前記本体（５）が、すべての対のベンド部（８）の間で前記第１の構造部材（２）に固定される、請求項１８に記載の建築用接続部品（１）。
【発明の詳細な説明】
【背景技術】
【０００１】
プレート・トラスは、ほとんどの場合、建築物の壁の上部を接合し屋根板を支持する屋根トラスであり、典型的には木製であるトラス弦材が、トラス・コネクタ・プレートを用いて互いに接合されるトラスである。トラス・コネクタ・プレートは、留め具の一種である。トラス・コネクタ・プレートは、典型的には、亜鉛若しくは亜鉛アルミニウム合金の被覆材で保護されたＡＳＴＭ  Ａ６５３／Ａ６５３Ｍ、Ａ５９１、Ａ７９２／Ａ７９２Ｍ、若しくはＡ１６７の構造品質の鋼、又はステンレス鋼の等価物から製造される。こうした金属コネクタ・プレートは、一体型の歯を有し、様々なサイズ（すなわち、長さ及び幅）並びに厚さ、又はゲージになるように製造されており、木材の中で荷重を横に伝達するように設計されている。これらのプレートは、スタッド式の留め具、金属製のコネクタ・プレート、メンディング・プレート、又はネイル・プレートとしても知られている。すべてのタイプのネイル・プレートが、トラス及び構造上重要な他の位置への使用が認められているとは限らない。ネイル・プレートは、同じ平面内の同じ厚さの木材を接続するために用いられる。トラスに使用するときは、特別な液圧式のツールを用いて木材の側面に押し付けられる。プレートが押し付けられると、ネイルはすべて同時に「押し込まれ」、隣接するネイル間の圧縮が分かれる傾向が低下する。ガーダー・トラス又はヒップ・トラスなど、一方のトラスが、それに当接するジャック・トラスなど、他方のトラスを支持するために用いられるときは、通常、別個のコネクタが必要になる。本発明は、好ましくは、支持されるトラスの当接する端部において、ネイル・プレートをハンガーとして機能できるようにする一体のタブを有するネイル・プレートである。
【発明の概要】
【課題を解決するための手段】
【０００２】
本発明の一目的は、取り付けタブがコネクタの本体の外周縁部から離れた位置で取り付けられ、本体及び取り付けタブが別々の２つの構造部材に取り付けられる、コネクタを提供することである。それにより、本体が一方の構造部材への広い取り付け面積を有しながらタブが他方の構造部材に取り付けられることが可能になる。
【０００３】
本発明の一目的は、そこから外側に曲げられるタブを取り囲む本体と、タブが本体に接続されるベンド部と、タブによって本体に残された開口部とを有するコネクタを提供することである。
【０００４】
本発明の一目的は、ベンド部を介してのみ本体に取り付けられているタブを有するコネクタを提供することである。
【０００５】
本発明の一目的は、強度と可能な限り最軽量のコネクタ材料との最適なバランスをとる、Ｃ字形の弓形タブを有するコネクタを提供することである。
【０００６】
本発明の一目的は、最も近い外周縁部と位置合わせするようにコネクタの本体内でその接続部品から戻る方に曲がるタブを有するコネクタを提供することであり、そのタブは、内部のベンド部を有し、それにより、特に一方の端部が他方の側面に当接するときに、２つの構造部材の間で位置合わせされた９０度の角度を成す接続が可能になる。
【０００７】
本発明の一目的は、構造部材間に最適な接続強度をもたらす１対のタブを有するコネクタを提供することである。
【０００８】
本発明の一目的は、従来のプレート・トラスを組み立てるのに使用されるのと同じ液圧プレスで第１の構造部材に取り付けることが可能であり、さらに第１の構造部材の弦材を接合する、ネイル・プロング・プレートである本体を有するコネクタを提供することである。
【０００９】
本発明の一目的は、第２の構造部材の別個の弦材にそれぞれ固定できるタブを複数有するコネクタを提供することである。
【００１０】
本発明の一目的は、コネクタを介して第１の構造部材を第２の構造部材によって支持できるようにする、ハンガーの役割を兼ねるネイル・プロング・プレートを提供することである。
【００１１】
本発明の一目的は、可能な限り最も強い取り付けのために各対のベンド部の間でコネクタの本体を第１の構造部材に固定する、１対のベンド部においてコネクタの本体にそれぞれ接合されたＣ字形の弓形タブを有するコネクタを提供することである。
【図面の簡単な説明】
【００１２】
【図１】本発明にしたがって形成された、支持されるジャック・トラスの端部と支持するガーダー・トラスとの間の２重の接続部品の斜視図である。
【図２】本発明による、支持されるジャック・トラスと支持するガーダー・トラスとの２重の接続部品端部を形成していることを示す分解斜視図である。
【図３】本発明にしたがって形成されたコネクタの右側面図である。
【図４】本発明にしたがって形成されたコネクタの正面図である。
【図５】本発明にしたがって形成されたコネクタの底面図である。
【図６】本発明によるコネクタを形成するためのブランクの外側立面図である。
【図７】本発明にしたがって形成された、支持されるジャック・トラスの端部と支持するガーダー・トラスとの間の接続部品の右側面図である。
【図８】本発明にしたがって形成された、支持されるジャック・トラスの端部と支持するガーダー・トラスとの間の２重の接続部品の正面図である。
【図９】本発明にしたがって形成された、支持されるジャック・トラスの端部と支持するガーダー・トラスとの間の２重の接続部品の上面図である。
【図１０】本発明にしたがって形成された、支持されるジャック・トラスの端部と支持するガーダー・トラスとの間の、別の２重の接続部品の斜視図である。
【図１１】本発明にしたがって形成された、支持されるジャック・トラスの端部と支持するガーダー・トラスとの間の、別の２重の接続部品の斜視図である。
【図１２】本発明にしたがって形成された、支持されるジャック・トラスの端部と支持するガーダー・トラスとの間の、別の２重の接続部品の斜視図である。
【図１３】本発明にしたがって形成された、支持されるジャック・トラスの端部と支持するガーダー・トラスとの間の、別の２重の接続部品の斜視図である。
【図１４】本発明にしたがって形成された、支持されるジャック・トラスの端部と支持するガーダー・トラスとの間の、別の２重の接続部品の斜視図である。
【図１５】本発明にしたがって形成された、支持されるジャック・トラスの端部と支持するガーダー・トラスとの間の、別の２重の接続部品の斜視図である。
【発明を実施するための形態】
【００１３】
図１、図２、及び図７〜図１５に示すように、本発明は、特有のネイル・プロング・プレート・コネクタ４で作られた、第１の構造部材２と第２の構造部材１８との間の建築用接続部品１である。第１の構造部材２は、第１の取り付け表面３を有する。第２の構造部材１８は、第２の取り付け表面１９を有し、その取り付け表面１９は、第１の構造部材２の第１の取り付け表面３に関して角度を成す。第２の構造部材１８は、第１の構造部材２を支持する。好ましくは、第１の構造部材２及び第２の構造部材１８は、両方ともメッキされた屋根トラスであるが、他の構造部材を互いに接続することもできる。第１の取り付け表面３及び第２の取り付け表面１９は、好ましくは、互いに９０度を成している。
【００１４】
図３〜図６に示すように、コネクタ４は、本体５及び第１のタブ７を有する。本体５は、第１の外周縁部６、取り付け面２１、及び取り付け面２１の反対側の開放面２２を有する。本体５は、取り付け面２１が第１の構造部材２の第１の取り付け表面３と境界を接する状態で、第１の構造部材２に固定される。第１のタブ７は、第１の外周縁部６から離間した第１のベンド部８において本体５に接合されている。ネイル・プロング・プレート・コネクタ４は、好ましくは、１．２ｍｍ（１８ゲージ）の亜鉛めっき鋼板から形成されるが、適切な他の材料を用いることもできる。
【００１５】
図５に示すように、第１のタブ７は、取り付け面２３と、取り付け面２３の反対側の開放面２４と、第１のベンド部８に接合された第１のタブ延長部分９と、第１のタブ取り付け部分１０とを有する。第１のタブ取り付け部分１０は、第１のタブ延長部分９に接合され、第１のタブ延長部分９によって第１のベンド部８から離間している。第１のタブ取り付け部分１０は、第１のタブ延長部分９から離れる方を向く第１の自由端１１を有する。第１のタブ取り付け部分１０は、取り付け面２３が第２の構造部材１８の第２の取り付け表面１９と境界を接する状態で、第２の構造部材１８に固定される。
【００１６】
図３に示すように、第１のベンド部８は、第１の端部１２を有し、本体５は、第１のベンド部８の第１の端部１２を越えて延在する第１の側方部分１３を有する。本体５の第１の側方部分１３は、第１のベンド部８のそれぞれの側に（すなわち、両側に）延在する。ベンド部８は、好ましくは、すべてが第１の外周縁部６に平行な線上にある。その線が延長されるとしたら、その線は、第１の外周縁部６に９０度でぶつかる平行な２つの外周縁部６と交わることになる。ベンド部８はまた、接続部品１が水平方向を向いた２つの構造部材２と１８との間にあるときは、好ましくは、垂直方向に細長い。
【００１７】
図５に示すように、第１のタブ７の第１のタブ延長部分９及び第１の取り付け部分１０は、単一の平面を占有することはない。第１のタブ延長部分９と、第１のベンド部８と第１の外周縁部６との間の本体５の開放面２２とは、第１の鋭角２５を画定する。第１の外周縁部６から曲げられるのではなく、タブ７は、好ましくは、ネイル・プロング・プレート・コネクタ４の本体５内から曲げられており、そのため、コネクタ４全体をより薄くより軽い材料から作製することが可能になる。これは、さらに、図示のように、第１の構造部材２と第１の外周縁部６の両方が第２の構造部材１８に当接する場合は、直交する接続部品１を作るときにタブ７を単に平坦にすることはできないことを意味している。タブ７自体は、タブ７をネイル・プロング・プレート・コネクタ４の本体５に接合するベンド部８の反対の方向に曲がらなければならない。好ましくは、第１のタブ延長部分９は、第１のベンド部８を介さずに、ネイル・プロング・プレート・コネクタ４の本体５と接触することはない。タブ７は、好ましくは、ネイル・プロング・プレート・コネクタ４の本体５から外に曲げられ、さらに戻る方に曲げられる。
【００１８】
図３及び図６に示すように、ネイル・プロング・プレート・コネクタ４の本体５の一部分は、好ましくは、第１のベンド部８と第１のタブ取り付け部分１０の自由端１１との間の距離よりも遠くに第１の外周縁部６から離れて延在する。言い換えると、本発明の好ましい形態では、ネイル・プロング・プレート・コネクタ４の本体５は、タブ７を形成し開口部２９を残すように切り抜かれた領域を越えて延びている。
【００１９】
図３及び図６に示すように、第１の外周縁部６は、好ましくは、ネイル・プロング・プレート・コネクタ４の本体５の第１の側方部分１３まで延在する。ネイル・プロング・プレート・コネクタ４の本体５が垂直方向に向いているときは、好ましいことに、側方部分１３は、タブ７及びベンド部８の上方及び下方に達する。タブ７は、ベンド部８を通してネイル・プロング・プレート・コネクタ４の本体５に取り付けられている。
【００２０】
図８及び図９に示すように、好ましくは、ネイル・プロング・プレート・コネクタ４の本体５は、第１の構造部材２の第１の取り付け表面３に埋め込まれた複数の突出したネイル・プロング１４を有する。ネイル・プロング１４は、比較的密度の高いグリッドを形成しており、ここではネイル・プロング・プレート・コネクタ４の本体５は、プレート・トラスを形成するために従来から用いられているネイル・プロング・プレートに似ている。
【００２１】
図１〜図４、図６〜図８、及び図１０〜図１５に示すように、ネイル・プロング・プレート・コネクタ４は、好ましくは、第２のタブ７を有する。第２のタブ７は、第２のタブ取り付け面２３及び第２のタブ取り付け面２３の反対側の第２の開放面２４を有する。第２のタブは、第２のベンド部８に接合された第２のタブ延長部分９も有する。さらに、第２のタブ７は、第２のタブ取り付け部分１０を有し、その第２のタブ取り付け部分１０は、第２のタブ延長部分９に接合され、第２のタブ延長部分９によって第２のベンド部８から離間している。第２のタブ取り付け部分１０は、第２のタブ延長部分９から離れる方に向いた第２の自由端１１を有する。第２のタブ取り付け部分１０は、第２の取り付け面２３が第２の構造部材１８の第２の取り付け表面１９と境界を接する状態で、第２の構造部材１８に固定されている。第１のタブ７と第２のタブ７とは、好ましくは、互いに同一であり、一方が他方の真上に配置されている。
【００２２】
図３及び図６に示すように、第２のベンド部８は、第２の端部１２を有し、本体５は、第２のベンド部８の第２の端部１２を越えて延在する第２の側方部分１３を有する。本体５の第２の側方部分１３は、第２のベンド部８のそれぞれの側に延在する。第１のタブ７の第２のタブ延長部分９及び第２の取り付け部分１０は、単一の平面を占有することはない。第２のタブ延長部分９の第２の取り付け面２３と、第２のベンド部８と第１の外周縁部６との間の本体５の開放面２２とは、第２の鋭角２５を画定する。第１及び第２の側方部分１３には、好ましくは、第１の外周縁部６から垂直に延在する外周縁部６が隣接している。好ましくは、第１のタブ７と第２のタブ７との間には、やはりベンド部８の両側まで延在する第３の側方部分１３がある。
【００２３】
図３及び図６に示すように、好ましくは、第１の外周縁部６は、ネイル・プロング・プレート・コネクタ４の本体５の外側の境界線２６を構成する複数の外周縁部６のうちの１つである。ネイル・プロング・プレート・コネクタ４の本体５は、好ましくは、外周縁部６を４つ有する矩形である。第１のベンド部８は、好ましくは、全体的に外側の境界線２６内にあり、第１のタブ７は外側の境界線２６に交わらない。好ましくは、タブ７と、タブ７をネイル・プロング・プレート・コネクタ４の本体５に接合するベンド部８と、タブを作るために材料を取り除くことによって本体５に残される開口部２９とはすべて、本体の外側の境界線２６内にある。本体５は、好ましくは、各タブ７を取り囲む。開口部２９はそれぞれ、タブ７の自由端１１に対応する縁部分３０を有し、本体５は、好ましくは、その縁部分３０を実質的に越えて第１の外周縁部６から離れて延在する。
【００２４】
図４に示すように、好ましくは、タブ７はそれぞれ、別々の２つのベンド部８においてネイル・プロング・プレート・コネクタ４の本体５にそれぞれ接合された第１及び第２の延長部分９を有する。各タブ７の取り付け部分１０は、好ましくは、各タブの第１の延長部分９及び第２の延長部分９に接続する。
【００２５】
図３、図６、及び図７に示すように、好ましくは、各タブ７をネイル・プロング・プレート・コネクタ４の本体５に接合するベンド部８は、それぞれ直線的であり、一直線上に位置合わせされている。タブ７はそれぞれ、好ましくは、概して弓形であり、弧のそれぞれの端部に第１及び第２のベンド部８を有する。図６は、ネイル・プロング・プレート・コネクタ４がそれから形成される、切り込みを入れられているが曲げられていないシート・メタルのブランク２７を示すが、その図６に示すように、タブ７は、本体５から上に曲げられる前は、好ましくは、平坦であり、Ｃ字形又は弓形である。
【００２６】
図１、及び図７〜図１５に示すように、好ましくは、第１の構造部材２は、ネイル・プロング・コネクタ４を介して第２の構造部材１８によって支持されている。第１及び第２の構造部材２は、好ましくは、トラス２である。好ましくは、ネイル・プロング・プレート・コネクタ４の本体５は、第１の構造部材２の垂直弦材１５及び水平弦材１５に取り付けられている。このようにして、ネイル・プロング・プレート・コネクタ４の本体５は、第１の構造部材２の２つの弦材１５を一緒に保持し、同じコネクタ４が、その第１の構造部材２を第２の構造部材１８から吊り下げるために用いられる。タブ７はそれぞれ、好ましくは、第２の構造部材１８の異なる弦材２０に固定されている。好ましくは、第１の構造部材２は、ジャック・トラス２であり、第２の構造部材１８は、ガーダー・トラス２である。
【００２７】
図５に示すように、タブ７はそれぞれ、好ましくは、各タブ延長部分９の開放面２４と各タブ取り付け部分１０の開放面２４との間に鈍角の折れ目１６を有する。
【００２８】
図８及び図９に示すように、好ましくは、ネイル・プロング・プレート・コネクタ４の本体５は、本体５の取り付け面２１から突出する一体のネイル・プロング１７を用いて第１の構造部材２に固定されている。タブ７はそれぞれ、好ましくは、別個の固定具１７を用いて第２の構造部材１８に固定されている。図１及び図２に示すように、別個の固定具１７は、好ましくは、タブ７を通して第２の構造部材１８に押し込まれるネイルである。やはり図示のように、別個の固定具１７のうちの少なくともいくつかは、好ましくは、第２の構造部材１８の弦材２０を接合する他のネイル・プロング・プレート２８を貫通する。
【００２９】
図１、図７、及び図９〜図１５に示すように、好ましくは、ネイル・プロング・プレート・コネクタ４の本体５の第１の外周縁部６は、第２の構造部材１８の第２の取り付け表面１９に当接する。それにより、本体５が第１の構造部材２に取り付けられる面積を最大にするのを助ける。
【００３０】
図１、及び図１０〜図１５に示すように、ネイル・プロング・プレート・コネクタ４の本体５は、好ましくは、すべての対のベンド部８の間で第１の構造部材２に固定され、それにより、タブ７が安定し、接続部品１が構造部材２と１８との間で補強される。
【符号の説明】
【００３１】
１  建築用接続部品
２  第１の構造部材
３  第１の取り付け表面
４  ネイル・プロング・プレート・コネクタ
５  本体
６  外周縁部
７  タブ
８  ベンド部
９  延長部分
１０  取り付け部分
１１  第１の自由端
１２  第１の端部
１３  側方部分
１４  ネイル・プロング
１５  弦材
１６  折れ目
１７  固定具
１８  第２の構造部材
１９  第２の取り付け表面
２０  弦材
２１  取り付け面
２２  開放面
２３  タブ取り付け面
２４  第１の開放面
２５  第１の鋭角
２６  境界線
２７  ブランク
２８  ネイル・プロング・プレート
２９  開口部
３０  縁部分
【図１】
2015183515.tif 000003
【図２】
2015183515.tif 000004
【図３】
2015183515.tif 000005
【図４】
2015183515.tif 000006
【図５】
2015183515.tif 000007
【図６】
2015183515.tif 000008
【図７】
2015183515.tif 000009
【図８】
2015183515.tif 000010
【図９】
2015183515.tif 000011
【図１０】
2015183515.tif 000012
【図１１】
2015183515.tif 000013
【図１２】
2015183515.tif 000014
【図１３】
2015183515.tif 000015
【図１４】
2015183515.tif 000016
【図１５】
2015183515.tif 000017
【外国語明細書】
2015183515000001.pdf